(57)【要約】【課題】遠心力を有効に活用し、塵埃の分離性能を向上させた電気掃除機を提供する。【解決手段】本体内に配設された電動送風機と、電動送風機で吸引した空気に含まれた塵埃を捕集し集積する集塵容器とを備え、集塵容器は吸込口と塵埃を集積する集塵部を有し、吸込口と対向する面が開口した集塵ケースと、塵埃を含んだ空気を塵埃と塵埃を除いた空気に分離する塵埃分離部と、集塵ケースの開口を閉塞する蓋体で構成され、塵埃分離部は、吸込口と連通する導入口連通部と、塵埃を含んだ空気を旋回させ塵埃と塵埃を除いた空気に遠心分離する旋回部と、塵埃を除いた空気が通過する、吸気口と排気口を有する円筒部で構成されていて、電動送風機の回転軸方向と円筒部の軸方向が平行になるように配置し、旋回部は、円筒部の外周で空気を旋回させるようになっており、旋回部の空気を旋回させる方向と、電動送風機の回転方向が同じ回転方向とした。【選択図】図８
2014144169.tif 000002
【特許請求の範囲】
【請求項１】
本体内に配設された電動送風機と、
該電動送風機で吸引した空気に含まれた塵埃を捕集し集積する集塵容器と、を備え、
前記集塵容器は、吸込口と塵埃を集積する集塵部を有し、前記吸込口と対向する面が開口した集塵ケースと、
塵埃を含んだ空気を塵埃と塵埃を除いた空気に分離する塵埃分離部と、
前記集塵ケースに回動自在に設けられた前記集塵ケースの開口を閉塞する蓋体で構成され、
前記塵埃分離部は、前記吸込口と連通する導入口連通部と、
該導入口連通部と連通し、前記塵埃を含んだ空気を旋回させ前記塵埃と前記塵埃を除いた空気に遠心分離する旋回部と、
該旋回部の中に配置され、前記塵埃を除いた空気が通過する、吸気口と排気口を有する円筒部で構成されていて、
前記電動送風機の回転軸方向と前記円筒部の軸方向が平行になるように配置し、
前記旋回部は、前記円筒部の外周で空気を旋回させるようになっており、前記旋回部の空気を旋回させる方向と、前記電動送風機の回転方向が同じ回転方向としたことを特徴とする電気掃除機。
【請求項２】
前記円筒部の周方向に小孔あるいは開口を有していないことを特徴とする請求項１に記載の電気掃除機。
【請求項３】
前記電動送風機の回転軸方向と前記円筒部の軸方向が同軸にならないように配置したことを特徴とする請求項１に記載の電気掃除機。
【請求項４】
本体内に配設された電動送風機と、
該電動送風機で吸引した空気に含まれた塵埃を捕集し集積する集塵容器と、を備え、
前記集塵容器は、吸込口と塵埃を集積する集塵部を有し、前記吸込口と対向する面が開口した集塵ケースと、
塵埃を含んだ空気を塵埃と塵埃を除いた空気に分離する塵埃分離部と、
前記集塵ケースに回動自在に設けられた前記集塵ケースの開口を閉塞する蓋体で構成され、
前記塵埃分離部は、前記吸込口と連通する導入口連通部と、
該導入口連通部と連通し、前記塵埃を含んだ空気を旋回させ前記塵埃と前記塵埃を除いた空気に遠心分離する旋回部と、
該旋回部の中に配置され、前記塵埃を除いた空気が通過する吸気口と排気口を有し、周方向に小孔あるいは開口を有していない円筒部で構成されていて、
前記電動送風機の回転軸方向と前記円筒部の軸方向が平行になるように、かつ同軸にならないように配置し、
前記旋回部は、前記円筒部の外周で空気を旋回させるようになっており、前記旋回部の空気を旋回させる方向と、前記電動送風機の回転方向が同じ回転方向としたことを特徴とする電気掃除機。
【請求項５】
前記旋回部に第１の開口を設け、該第１の開口よりも開口面積が小さい第２の開口を、前記第１の開口よりも下流で前記集塵ケースの前記吸込口寄りに設けたことを特徴とする請求項１又は請求項４何れか１つに記載の電気掃除機。
【請求項６】
前記集塵ケース、あるいは前記旋回部、あるいはそれら両方に、塵埃の戻り防止のためのリブを設けたことを特徴とする請求項１又は請求項４又は請求項５何れか１つに記載の電気掃除機。
【請求項７】
前記蓋体に第１のフィルターを備え、
該第１のフィルターを覆うようにフィルターカバーを設け、
該フィルターカバーは、前記集塵部に集積された前記塵埃を圧縮するために吸引される空気が通過できる塵埃圧縮開口部を有し、
該塵埃圧縮開口部に、第１のフィルターよりも目の粗い第２のフィルターを備えたことを特徴とする請求項１又は請求項４何れか１つに記載の電気掃除機。
【請求項８】
前記電動送風機の回転軸は前記塵埃圧縮開口部の範囲内に配置したことを特徴とする請求項７に記載の電気掃除機。
【発明の詳細な説明】
【技術分野】
【０００１】
本発明は電気掃除機、詳しくはサイクロン式の集塵容器を備えた電気掃除機に関する。
【背景技術】
【０００２】
従来のサイクロン式の集塵容器を備えた電気掃除機は、塵埃を含んだ空気から塵埃を分離するための分離室を垂直方向に設け、水平方向に設けた電動送風機で空気を吸引して塵埃を分離するものが知られている。塵埃を含んだ空気から塵埃を分離するために旋回させて遠心力を加えた空気は垂直方向に流れ、水平方向に設けた電動送風機で吸引する空気の流れと直交している。（例えば、特許文献１参照）。
【先行技術文献】
【特許文献】
【０００３】
【特許文献１】特開２０１０−２６８８７６号公報（第４頁、図４）
【発明の概要】
【発明が解決しようとする課題】
【０００４】
しかしながら、従来の電気掃除機は、塵埃を含んだ空気から塵埃を分離するために旋回させて遠心力を加えた空気は垂直方向に流れ、電動送風機で吸引する空気の流れと直交しているので、分離室から空気を吸引するときには電動送風機の回転により発生する遠心力はなくなり単に吸引力だけとなるので、塵埃を分離するために空気を旋回させて発生させる遠心力に、電動送風機の回転により発生する遠心力が、有効に寄与しない、という問題があった。
【０００５】
本発明は、前述の課題を解決するためになされたもので、遠心力を有効に活用し、塵埃の分離性能を向上させた電気掃除機を提供することを目的とする。
【課題を解決するための手段】
【０００６】
課題を解決する本発明に係る電気掃除機は、本体内に配設された電動送風機と、電動送風機で吸引した空気に含まれた塵埃を捕集し集積する集塵容器とを備え、集塵容器は、吸込口と塵埃を集積する集塵部を有し、吸込口と対向する面が開口した集塵ケースと、塵埃を含んだ空気を塵埃と塵埃を除いた空気に分離する塵埃分離部と、集塵ケースに回動自在に設けられた集塵ケースの開口を閉塞する蓋体で構成され、塵埃分離部は、吸込口と連通する導入口連通部と、導入口連通部と連通し、塵埃を含んだ空気を旋回させ塵埃と塵埃を除いた空気に遠心分離する旋回部と、旋回部の中に配置され、塵埃を除いた空気が通過する、吸気口と排気口を有する円筒部で構成されていて、電動送風機の回転軸方向と円筒部の軸方向が平行になるように配置し、旋回部は円筒部の外周で空気を旋回させるようになっており、旋回部の空気を旋回させる方向と、電動送風機の回転方向が同じ回転方向としたものである。
【発明の効果】
【０００７】
本発明によれば、電動送風機の回転軸方向と円筒部の軸方向が平行になるように配置し、旋回部は円筒部の外周で空気を旋回させるようになっており、旋回部の空気を旋回させる方向と、電動送風機の回転方向が同じ回転方向にしたので、電動送風機の回転により発生する遠心力が、同じ回転方向で旋回する空気の遠心力に上乗せされる。よって、塵埃を含む空気からの塵埃の分離性能を向上させることができる。
【図面の簡単な説明】
【０００８】
【図１】本発明の実施の形態1に係る電気掃除機を示す外観斜視図である。
【図２】本発明の実施の形態1に係る電気掃除機の側面方向から見た断面図である。
【図３】本発明の実施の形態1に係る電気掃除機の集塵容器を示す外観斜視図である。
【図４】集塵容器の蓋体の開放状態を示す斜視図である。
【図５】集塵容器内の要部が見えるように集塵ケースを一部切断した斜視図である。
【図６】集塵容器に内包される塵埃分離部の外観斜視図である。
【図７】集塵容器に内包される塵埃分離部の外観側面図である。
【図８】（ａ）電動送風機の回転軸と円筒部の軸方向を便宜的に表した模式図、（ｂ）電動送風機と旋回部の回転方向を便宜的に表した模式図である。
【図９】蓋体を除いた集塵容器を蓋体側から見た図である。
【図１０】集塵容器内の要部が見えるように集塵ケースを一部切断した斜視図である。
【図１１】本発明の実施の形態1に係る電気掃除機内の塵埃と空気の動きを示した側面方向から見た断面図である。
【図１２】集塵容器内の塵埃と空気の動きを示した要部断面斜視図である。
【発明を実施するための形態】
【０００９】
実施の形態１．
（電気掃除機の構成）
図１は本発明の実施の形態1に係る電気掃除機を示す外観斜視図、図２は本発明の実施の形態1に係る電気掃除機の側面方向から見た断面図である。
以下、図１及び図２により本発明の実施の形態１に係る電気掃除機の構成について説明する。
なお、それぞれの図において、同じ部分または相当する部分には同じ符号を付し、一部の説明を省略することがある。
【００１０】
図１に示すように、１００は本発明の実施の形態1に係る電気掃除機であり、本体１と集塵容器８を備えている。集塵容器８はカバー７で覆われた箇所に、後述する取っ手２０を有している。
【００１１】
図２に示す回動軸２ａを支点にカバー７を回動させると取っ手２０が露出する。取っ手２０を持って本体１の上方へ抜き出すようにすると本体１から取り外すことができる。
【００１２】
本体１は図１に示すように、それぞれ樹脂成形で形成された本体１の上部を構成する上ケース２と本体１の下部を構成する下ケース３と本体１の前部を構成する前ケース４により構成されている。
【００１３】
前ケース４にはホース体接続口９が設けられている。ホース体接続口９には、塵埃を空気と一緒に吸引する吸込具と伸縮構造を有する硬質延長管と蛇腹のような可撓性を有する軟質管等から成る、図示しないホース体を接続できるようになっている。
【００１４】
下ケース３の両側面に車輪６ａと、底面にキャスター６ｂが取り付けられている。車輪６ａとキャスター６ｂにより、ホース体を引き廻すことで電気掃除機１００が自在に移動できるようになっている。
【００１５】
本体１の前側には本体把持部５が設けられている。本体把持部５を持つことにより本体１を持ち運ぶことができる。
【００１６】
図２に示すように、集塵容器８は本体１内に収容される。集塵容器８を構成する集塵ケース１０に設けられた後述する吸込口１１とホース体接続口９は、集塵容器８が収容された状態で連通している。
【００１７】
集塵容器８は塵埃分離部１２を内包している。塵埃分離部１２は空気と一緒に吸引された塵埃を、塵埃と塵埃を除いた空気に分離するものである。また、集塵容器８は集塵部１３を有している。集塵部１３は塵埃を集積するものである。
【００１８】
集塵容器８を構成する集塵ケース１０には、回動自在な蓋体１７が設けられている。蓋体１７には第１のフィルター１６が取り付けられている。さらに蓋体１７にはフィルターカバー１４が設けられ、フィルターカバー１４には連通口フィルター１５が取り付けられている。なお、集塵容器８の構成については、後段で更に詳しく説明する。
【００１９】
本体１の後方には電動送風機１８が内包されている。電動送風機１８は塵埃を含んだ空気を吸引する吸引風を発生させるものである。
【００２０】
また、本体１の後方下部には制御基板１９が内包されている。制御基板１９は、図示しない操作部に設けられたスイッチの操作により、電動送風機１８の動作を制御するものである。その他、図示しないが電源コードを巻き取り保持するコードリールも本体１に内包している。
【００２１】
（集塵容器の構成）
図３は本発明の実施の形態1に係る電気掃除機の集塵容器を示す外観斜視図、図４は集塵容器の蓋体の開放状態を示す斜視図、図５は集塵容器内の要部が見えるように集塵ケースを一部切断した斜視図、図６は集塵容器に内包される塵埃分離部の外観斜視図、図７は集塵容器に内包される塵埃分離部の外観側面図である。
以下、図３〜図７により本発明の実施の形態１に係る電気掃除機の集塵容器の構成について詳しく説明する。
なお、それぞれの図において、同じ部分または相当する部分には同じ符号を付し、一部の説明を省略することがある。
【００２２】
図３及び図４に示すように、集塵容器８はそれぞれ樹脂成形で形成された集塵ケース１０と塵埃分離部１２及び蓋体１７で構成される。
【００２３】
集塵ケース１０は内部に塵埃を集積する集塵部１３を有するので、内部が視認できるよう透明度の高い樹脂で形成される。集塵ケース１０には、前述のホース体接続口９と連通する吸込口１１が設けられている。集塵ケース１０の吸込口１１と対向する面側は開口している。
【００２４】
その集塵ケース１０の開口を、集塵ケース１０に回動自在に取り付けられた蓋体１７で閉塞している。蓋体１７にはプリーツ状の第１のフィルター１６が取り付けられている。また、蓋体１７には回動自在のフィルターカバー１４が設けられている。フィルターカバー１４は第１のフィルター１６を覆うように、塵埃分離部１２と第１のフィルター１６の間に取り付けられる。
【００２５】
フィルターカバー１４には、後述する円筒部２４の排気口２６からの空気を通気する連通口２９を有している。連通口２９には連通口フィルター１５が取り付けられている。連通口フィルター１５は、第１のフィルター１６よりも目が粗いものである。
【００２６】
集塵ケース１０にはアーチ状の取っ手２０が設けられている。取っ手２０の中央にはロックレバー２１が取り付けられている。ロックレバー２１は、ロックレバー回動軸２１ａを図示しない穴に回動自在に軸支されている。
【００２７】
ロックレバー２１は図示しない弾性手段により蓋体１７を閉塞する方向に付勢されている。その付勢力に抗してロックレバー２１を操作すると、蓋体１７の保持が解除され蓋体１７が開放される。集塵ケース１０内には塵埃を集積する集塵部１３があるので、蓋体１７を開放して集積された塵埃を廃棄することができる。
【００２８】
図５に示すように集塵ケース１０の内部には、図６、図７で示す塵埃分離部１２が収容されている。塵埃分離部１２は集塵ケース１０から取り外し可能である。図４に示すように係止片３０を保持爪３１に、図６に示す係止穴３２を集塵ケース１０に設けられた図示しない係止爪にそれぞれ係合させることで取り付けできる。
【００２９】
塵埃分離部１２は、図６に示すように導入口連通部２２と旋回部２３及び円筒部２４で構成される。導入口連通部２２と旋回部２３及び円筒部２４はそれぞれ樹脂成形で形成されている。本発明の実施の形態では、導入口連通部２２と旋回部２３は一体で形成され、円筒部２４は別に形成した部品を組合せたものとなっている。
【００３０】
但し、これに限定されるものではなく、導入口連通部２２と旋回部２３及び円筒部２４をそれぞれ別に形成しても、導入口連通部２２と旋回部２３及び円筒部２４を一体で形成してもよい。
【００３１】
導入口連通部２２は一端が集塵ケース１０の吸込口１１と接続され、ホース体接続口９と連通（図２参照）し、他端が旋回部２３と連通する。
【００３２】
旋回部２３はその中にテーパーが付いた円筒部２４が設けられている。円筒部２４は吸気口２５と排気口２６を有する。円筒部２４は前述のようにテーパーが付いているので吸気口２５側が細く、排気口２６側が太くなっている。よって、吸気口２５よりも排気口２６の面積が広くなっている。
【００３３】
旋回部外壁２３ａには第１の開口２７及び第２の開口２８が設けられている。図７に示すように、第１の開口２７は円筒部２４の排気口２６寄りに、第２の開口２８は円筒部２４の吸気口２５寄りにそれぞれ設けられている。
【００３４】
第１の開口２７は第２の開口２８よりも大きい面積を有している。空気が流通する通気経路でみると、第１の開口２７が第２の開口２８よりも上流に位置している。第１の開口２７及び第２の開口２８は集塵部１３と連通している。集塵部１３は通気経路から外れて設けられている。
【００３５】
塵埃分離部１２で空気と分離した塵埃を第１の開口２７及び第２の開口２８から集塵部１３へ排出する。集塵部１３は通気経路から外れているので、集塵部１３へ排出された塵埃は通気経路へ戻ることがない。なお、通気経路及び塵埃の分離については後段の動作で詳しく説明する。
【００３６】
次に図８（ａ）、図８（ｂ）により電動送風機１８の回転軸中心と、旋回の中心軸となる円筒部の軸中心及び電動送風機１８の回転方向と旋回部２３の旋回方向の関係を説明する。図８（ａ）は電動送風機の回転軸と円筒部の軸方向を便宜的に表した模式図、図８（ｂ）は電動送風機と旋回部の回転方向を便宜的に表した模式図である。
【００３７】
図８（ａ）、図８（ｂ）に示すように電動送風機１８の回転軸中心と、旋回の中心軸となる円筒部２４の軸中心は平行になっている。電動送風機１８の回転軸中心と、旋回の中心軸となる円筒部２４の軸中心は同軸にならないよう左右方向及び上下方向にずらした位置に配置されている。
【００３８】
電動送風機１８の回転軸中心と旋回の中心軸となる円筒部２４の軸中心を同軸にすると、電動送風機１８の直線的な吸引力が強くなりすぎてしまい、回転力を旋回部２４の旋回力に加えることができず旋回力を強くすることができない。
【００３９】
図８（ｂ）に示すように電動送風機１８の整流翼１８ａの外周近くに旋回の中心軸となる円筒部２４の軸中心を配置することで電動送風機１８の回転力が旋回部２４の旋回力に上乗せできるようになる。なお、ここでいう整流翼とは電動送風機の風の流れを安定化させるもので、回転はせず固定されている。
【００４０】
旋回力が強くなることで塵埃を含んだ空気をより強く回転させることになる。よって、空気に含まれる塵埃に働く遠心力も強くなるので塵埃の分離性能を高くすることができる。
【００４１】
（動作）
次に図１１、図１２により本発明の実施の形態１に係る電気掃除機の動作について詳しく説明する。図１１は本発明の実施の形態1に係る電気掃除機内の塵埃と空気の動きを示した側面方向から見た断面図、図１２は集塵容器内の塵埃と空気の動きを示した要部断面斜視図である。
【００４２】
図１１、図１２に示すように、塵埃を含んだ空気がＡのように吸引されて吸込口１１を通過し、Ｂのように塵埃分離部１２を構成する導入口連通部２２を通過、さらにＣのように塵埃分離部１２を構成する旋回部２３へ流れる。導入口連通部２２から旋回部２３へ連通する経路は徐々に狭くなっているため、空気の流速が増すようになっている。
【００４３】
旋回部２３は、旋回部内面と円筒部２４の外側が空気を旋回させる経路となっており、塵埃を含んだ空気はＤのように旋回部へ吸引され旋回流となる。旋回流は円筒部２４の外側を、排気口２６側を上流として吸気口２５側へＤのように旋回しながら流れる。
【００４４】
円筒部２４の内部空間は吸気口２５から排気口２６へ流れる通気経路となっている。円筒部２４の外側、周方向には小孔あるいは開口を有していないので、旋回部２３を旋回している空気が円筒部２４の内部空間に直接吸引されることがない。よって、旋回する空気の動きが乱れることがなく旋回力が低下しにくい。
【００４５】
旋回部では塵埃を含んだ空気に遠心力が掛かるので、旋回部外壁２３ａへ塵埃が押し付けられるように旋回する。旋回部外壁２３ａには上流の円筒部２４の排気口２６寄りに第１の開口２７、下流の円筒部２４の吸気口２５寄りに第２の開口２８が設けられている。
【００４６】
遠心力により旋回部外壁２３ａへ押し付けられるように旋回している塵埃は、図１２に示すＸ１のように第１の開口２７から、連通する集塵部１３へ排出される。前述（段落００３３）のように円筒部２４はテーパーが付いていて吸気口２５側が細く、排気口２６側が太くなっている。
【００４７】
よって、旋回部外壁２３ａとの空間は排気口２６側が狭くなるため、排気口２６付近で流速が最も速くなることから、空気に含まれる塵埃に掛かる遠心力も最大となるので、ほとんどの塵埃は第１の開口２７から排出される。
【００４８】
Ｘ１のように大きく重量もある塵埃を排出するため、遠心力が最大となる位置にある第１の開口２７は第２の開口２８よりも開口面積が大きくなっている。
【００４９】
第１の開口から排出しきれなかった塵埃があるときは、円筒部２４の吸気口２５寄りに設けられた第２の開口２８から図１２に示すＸ２のように排出される。
【００５０】
前述のように塵埃を含んだ空気から遠心力で塵埃が分離され、第１の開口２７及び第２の開口２８から集塵部１３へ排出されるので、第２の開口２８以降へ流れる空気は塵埃を含まない空気となって図１２に示すＥのように円筒部２４の吸気口２５へ送られる。
【００５１】
図７に示すように、円筒部２４の吸気口２５は第２の開口２８の始点位置よりも下流にある。よって前述のように空気が円筒部２４の吸気口２５へ送られる前に塵埃が分離され、第１の開口２７及び第２の開口２８から排出されるので、塵埃を含まない空気を円筒部２４の吸気口２５へ送れるようになる。
【００５２】
なお、本発明の実施の形態では旋回部外壁２３ａに開口を２つ設けた例で説明しているが、旋回部外壁２３ａに設ける開口は１つではない複数個あればよい。よって、２つに限定されるものではなく、例えば３つ設けても塵埃の排出に貢献するものである。
【００５３】
排出された塵埃は集塵部１３に集積されるが、図９に示すように塵埃Ｘ５が排出された勢いで空気の流れHのように回転する。そのまま回転すると、集塵ケース１０と旋回部２３の間にわずかにある隙間３７に吸い込まれ、再び通気経路に戻る可能性がある。
【００５４】
よって、集塵ケース１０側に塵埃の戻り防止のためのリブａ３３、旋回部２３側に塵埃の戻り防止のためのリブｂ３４を設けることで、塵埃Ｘ５が再び通気経路に戻ることを防止している。なお、ここでいうリブとは、数ミリの厚さを有する板状の突出した形状のことである。
【００５５】
また、本発明の実施の形態では集塵ケース１０と旋回部２３にそれぞれ戻り防止のためのリブａ３３、リブｂ３４を設けているが、何れか一方にリブを設けることでも同様に塵埃Ｘ５が再び通気経路に戻ることを防止できる。
【００５６】
集塵部１３に集積された塵埃を圧縮するため、電動送風機１８で集塵部１３を吸引している。図１０に示すように、フィルターカバー１４に通気可能な塵埃圧縮開口部３５が設けられている。塵埃を圧縮する力を高くするため、電動送風機１８の直線的な吸引力が得られるよう電動送風機１８の回転軸中心は、塵埃圧縮開口部３５の範囲内となるように配置されている。
【００５７】
塵埃圧縮開口部３５には第２のフィルター３６が設けられ、電動送風機１８が吸引風Ｇを発生させても、塵埃Ｘ４が目の細かい第１のフィルター１６に張り付き、目詰まりさせないよう第１のフィルター１６を保護している。第２のフィルターは目詰まりしにくように第１のフィルター１６よりも目が粗くなっている。
【００５８】
円筒部２４の吸気口２５に送られた空気は、図１１に示すＦのように円筒部２４の内部を通過し円筒部２４の排気口２６に至る。さらに排気口２６の下流側に設けられたフィルターカバー１４の連通口２９の連通口フィルター１５を通り、第１のフィルター１６を通過し電動送風機１８に至る。
【００５９】
連通口フィルター１５は万が一に対応する予防のためのフィルターである。第１のフィルター１６は微細塵を捕集するもので、プリーツ状で目が細かいため、塵埃が付着すると目詰まりを起こす可能性が高く、第１のフィルター１６のメンテナンスが必要となる。第１のフィルター１６はプリーツ状であるのでメンテナンスは容易ではない。
【００６０】
そのため、万が一第１の開口２７及び第２の開口２８から集塵部１３へ排出されなかった塵埃が円筒部２４の吸気口２５を通過してしまっても、第１のフィルター１６に到達する前に連通口フィルター１５で捕集できるように、連通口フィルター１５を上流に配置している。
【００６１】
連通口フィルター１５は、図４に示すように平板状のフィルターカバー１４に設けられているので、塵埃が除去し易い。
【００６２】
連通口フィルター１５及び第１のフィルター１６を通過後、電動送風機１８に吸引され、排出された空気は図示しない本体排気口から、本体１の外へ排出される。
【００６３】
以上のように、電動送風機の回転軸方向と円筒部の軸方向が平行になるように配置し、旋回部は円筒部の外周で空気を旋回させるようになっており、旋回部の空気を旋回させる方向と、電動送風機の回転方向が同じ回転方向としたので、電動送風機の回転により発生する遠心力が、同じ回転方向で旋回する空気の遠心力に上乗せされる。よって、塵埃を含む空気からの塵埃の分離性能を向上させることができる。
【００６４】
また、円筒部の周方向に小孔あるいは開口を有していないので、旋回部を旋回している空気が円筒部内部空間の通気経路に直接吸引されることがなく、旋回する空気の動きが乱れることがないため旋回力が低下しにくい。
【００６５】
さらに、旋回部に第１の開口及び第２の開口という複数の開口を設け、通気経路から外れた集塵部へ塵埃を集積するようにしたので、吸引した空気が集積している塵埃を通過することがない。よって、集積した塵埃の増量による吸引力の低下を抑えることができる。
【００６６】
そして、集塵ケースあるいは旋回部、あるいはそれら両方に、塵埃の戻り防止のためのリブを設けたので、通気経路から排出された塵埃が再び通気経路に戻ることがなく、安定して集塵部に塵埃を集積できる。
【００６７】
それから、電動送風機の回転軸は前記塵埃圧縮開口部の範囲内に配置したので、電動送風機の直線的な吸引力が得られ、集塵部に集積された塵埃を圧縮する力を高くすることできる。
【符号の説明】
【００６８】
１  本体、２  上ケース、２ａ  回動軸、３  下ケース、４  前ケース、５  本体把持部、６ａ  車輪、６ｂ  キャスター、７  カバー、８  集塵容器、９  ホース体接続口、１０  集塵ケース、１１  吸込口、１２  塵埃分離部、１３  集塵部、１４  フィルターカバー、１５  連通口フィルター、１６  第１のフィルター、１７  蓋体、１８  電動送風機、１８ａ  整流翼、１９  制御基板、２０  取っ手、２１  ロックレバー、２１ａ  ロックレバー回動軸、２２  導入口連通部、２３  旋回部、２３ａ  旋回部外壁、２４  円筒部、２５  吸気口、２６  排気口、２７  第１の開口、２８  第２の開口、２９  連通口、３０  係止片、３１  保持爪、３２  係止穴、３３  リブａ、３４  リブｂ、３５  塵埃圧縮開口部、３６  第２のフィルター、３７  隙間、１００  電気掃除機、Ａ  空気の流れ、Ｂ  空気の流れ、Ｃ  空気の流れ、Ｄ  空気の流れ、Ｅ  空気の流れ、Ｆ  空気の流れ、Ｇ  吸引風、Ｈ  空気の流れ、Ｘ１  塵埃、Ｘ２  塵埃、Ｘ３  塵埃、Ｘ４  塵埃、Ｘ５  塵埃。
【図１】
2014144169.tif 000003
【図２】
2014144169.tif 000004
【図３】
2014144169.tif 000005
【図４】
2014144169.tif 000006
【図５】
2014144169.tif 000007
【図６】
2014144169.tif 000008
【図７】
2014144169.tif 000009
【図８】
2014144169.tif 000010
【図９】
2014144169.tif 000011
【図１０】
2014144169.tif 000012
【図１１】
2014144169.tif 000013
【図１２】
2014144169.tif 000014